【手続補正書】
【提出日】平成26年5月7日(2014.5.7)
【手続補正１】
【補正対象書類名】特許請求の範囲
【補正対象項目名】全文
【補正方法】変更
【補正の内容】
【特許請求の範囲】
【請求項１】
光軸方向に伸びる第１溝部を有する第１の支持部材と、
前記光軸方向に対して傾いた方向に伸びる第２溝部と、光軸に直交する方向に伸びる第３溝部と、を有する第２の支持部材と、
光学素子を保持する保持部材と、
一端が前記保持部材に対して前記光軸と直交する方向の回転軸を中心に回転可能に取り付けられ、他端が前記回転軸に対して偏芯し前記第１溝部に係合する第１の偏芯部材と、
一端が前記保持部材に対して前記光軸と直交する方向の回転軸を中心に回転可能に取り付けられ、他端が前記回転軸に対して偏芯し前記第３溝部に係合する第２の偏芯部材と、
前記第１の支持部材に設けられ、前記第２溝部に係合する係合部材と、
を有する光学装置であって、
前記第１の偏芯部材を前記回転軸を中心に回転させることにより、前記光学素子を前記第１支持部材に対して前記光軸に直交する方向に移動可能であり、
前記第２の偏芯部材を前記回転軸を中心に回転させることにより、前記光学素子を前記光軸に直交する面に対して傾けることが可能であり、
前記係合部材と前記第２溝部との係合位置を変えることで、前記第２の支持部材および前記保持部材を前記第１の支持部材に対して前記光軸方向に移動可能とすることを特徴とする光学装置。
【請求項２】
前記第２の支持部材は筒状部材であり、前記第２溝部および前記第３溝部は、前記第２の支持部材の周方向に伸びていることを特徴とする請求項１に記載の光学装置。
【請求項３】
前記第１および第２の偏芯部材は、偏芯コロであることを特徴とする請求項１または２に記載の光学装置。
【請求項４】
前記第１および第２の偏芯部材は、それぞれ前記保持部材の外周に３つ設けられることを特徴とする請求項１乃至３のいずれか１項に記載の光学装置。
【請求項５】
光軸方向に伸びる第１溝部を有する第１の支持部材と、
前記光軸方向に対して傾いた方向に伸びる第２溝部を有する第２の支持部材と、
光学素子を保持する保持部材と、
一端が前記保持部材に対して光軸に直交する方向の回転軸を中心に回転可能に取り付けられ、他端が前記回転軸に対して偏芯し前記第１溝部に係合する第１の偏芯部材と、
一端が前記保持部材に対して光軸に直交する方向の回転軸を中心に回転可能に取り付けられ、他端が前記回転軸に対して偏芯し前記第２溝部に係合する第２の偏芯部材と、
前記第１の支持部材または前記第２の支持部材に設けられ、光軸に直交する周方向に伸びる第４溝部と、
前記第１の支持部材または前記第２の支持部材に設けられ、前記第４溝部に係合して、前記第１の支持部材に対して光軸の周りに回転可能な前記第２の支持部材の前記第１の支持部材に対する光軸方向の移動を規制する規制部材と、
を有する光学装置であって、
前記第１の偏芯部材を前記回転軸を中心に回転させることにより、前記光学素子を前記第１の支持部材に対して前記光軸に直交する方向に移動可能であり、
前記第２の偏芯部材を前記回転軸を中心に回転させることにより、前記光学素子を前記光軸に直交する面に対して傾けることが可能であり、
前記第２の偏芯部材と前記第２溝部との係合位置を変えることで前記保持部材を前記第１の支持部材に対して前記光軸方向に移動可能とすることを特徴とする光学装置。
【請求項６】
前記第２の支持部材は筒状部材であり、前記第２溝部は、前記第２の支持部材の周方向に伸びていることを特徴とする請求項５に記載の光学装置。
【請求項７】
前記第１および第２の偏芯部材は、偏芯コロであることを特徴とする請求項５または６に記載の光学装置。
【請求項８】
前記第１および第２の偏芯部材は、それぞれ、前記保持部材の外周に設けられることを特徴とする請求項５乃至７のいずれか１項に記載の光学装置。
【請求項９】
光軸方向に伸びる案内溝を外周部に有する第１の円筒部材と、
光軸に直交する周方向に伸びる周辺溝と、外周部で光軸に直交する周方向に傾いて伸びるリード溝とを有し、前記第１の円筒部材に対して光軸の周りに回転可能な第２の円筒部材と、
光学素子を保持する保持部材と、
一端が前記光軸と直交する方向の回転軸を中心に回転可能に前記保持部材に取り付けられ、他端が前記回転軸に対して偏芯し前記案内溝に係合する第１の偏芯ローラと、
一端が前記光軸と直交する方向の回転軸を中心に回転可能に前記保持部材に取り付けられ、他端が前記回転軸に対して偏芯し前記周辺溝に係合する第２の偏芯ローラと、
前記第１の円筒部材に設けられ、前記リード溝に係合するコロと、
を有することを特徴とする光学装置。
【請求項１０】
前記第１の偏芯ローラを前記回転軸を中心に回転させることにより、前記保持部材を前記第１の円筒部材に対して前記光軸に直交する方向に移動可能であり、
前記第２の偏芯ローラを前記回転軸を中心に回転させることにより、前記保持部材を前記光軸に直交する面に対して傾けることが可能であり、
前記コロと前記リード溝との係合位置を変えることで、光軸に直交する方向を維持し前記保持部材の光軸に直交する面に関して傾けて、前記第２の円筒部材および前記保持部材を前記第１の円筒部材に対して前記光軸方向に移動可能とすることを特徴とする請求項９に記載の光学装置。
【請求項１１】
光軸方向に伸びる案内溝を外周部に有する第１の円筒部材と、
前記第１の円筒部材に対して光軸の周りに回転可能であり、第２保持部材の外周部で光軸に直交する周方向に傾いて伸びるリード溝を有する第２の円筒部材と、
光学素子を保持する保持部材と、
一端が前記光軸と直交する方向の回転軸を中心に回転可能に前記保持部材に取り付けられ、他端が前記回転軸に対して偏芯し前記案内溝に係合する第１の偏芯ローラと、
一端が前記光軸と直交する方向の回転軸を中心に回転可能に前記保持部材に取り付けられ、他端が前記回転軸に対して偏芯し前記リード溝に係合する第２の偏芯ローラと、
前記第１の円筒部材または前記第２の円筒部材の一方に設けられ、光軸に直交する周方向に伸びる規制溝と、
前記第１の円筒部材または前記第２の円筒部材の他方に設けられ、前記規制溝に係合して、前記第１の円筒部材に対して光軸の周りに回転可能な前記第２の円筒部材の前記第１の円筒部材に対する光軸方向の移動を規制する規制部材と、
を有することを特徴とする光学装置。
【請求項１２】
前記第１の偏芯ローラを前記回転軸を中心に回転させることにより、前記光学素子を前記第１の円筒部材に対して前記光軸に直交する方向に移動可能であり、
前記第２の偏芯ローラを前記回転軸を中心に回転させることにより、前記光学素子を前記光軸に直交する面に対して傾けることが可能であり、
前記第２の偏芯ローラと前記リード溝との係合位置を変えることで、前記保持部材を前記第１の円筒部材に対して前記光軸方向に移動可能とすることを特徴とする請求項１１に記載の光学装置。
【手続補正２】
【補正対象書類名】明細書
【補正対象項目名】０００７
【補正方法】変更
【補正の内容】
【０００７】
上記目的を達成するため、本発明に係る光学装置は、光軸方向に伸びる第１溝部を有する第１の支持部材と、前記光軸方向に対して傾いた方向に伸びる第２溝部と、光軸に直交する方向に伸びる第３溝部と、を有する第２の支持部材と、光学素子を保持する保持部材と、一端が前記保持部材に対して前記光軸と直交する方向の回転軸を中心に回転可能に取り付けられ、他端が前記回転軸に対して偏芯し前記第１溝部に係合する第１の偏芯部材と、一端が前記保持部材に対して前記光軸と直交する方向の回転軸を中心に回転可能に取り付けられ、他端が前記回転軸に対して偏芯し前記第３溝部に係合する第２の偏芯部材と、前記第１の支持部材に設けられ、前記第２溝部に係合する係合部材と、を有する光学装置であって、前記第１の偏芯部材を前記回転軸を中心に回転させることにより、前記光学素子を前記第１支持部材に対して前記光軸に直交する方向に移動可能であり、前記第２の偏芯部材を前記回転軸を中心に回転させることにより、前記光学素子を前記光軸に直交する面に対して傾けることが可能であり、前記係合部材と前記第２溝部との係合位置を変えることで、前記第２の支持部材および前記保持部材を前記第１の支持部材に対して前記光軸方向に移動可能とすることを特徴とする。
また、本発明に係る別の光学装置は、光軸方向に伸びる第１溝部を有する第１の支持部材と、前記光軸方向に対して傾いた方向に伸びる第２溝部を有する第２の支持部材と、光学素子を保持する保持部材と、一端が前記保持部材に対して光軸に直交する方向の回転軸を中心に回転可能に取り付けられ、他端が前記回転軸に対して偏芯し前記第１溝部に係合する第１の偏芯部材と、一端が前記保持部材に対して光軸に直交する方向の回転軸を中心に回転可能に取り付けられ、他端が前記回転軸に対して偏芯し前記第２溝部に係合する第２の偏芯部材と、前記第１の支持部材または前記第２の支持部材に設けられ、光軸に直交する周方向に伸びる第４溝部と、前記第１の支持部材または前記第２の支持部材に設けられ、前記第４溝部に係合して、前記第１の支持部材に対して光軸の周りに回転可能な前記第２の支持部材の前記第１の支持部材に対する光軸方向の移動を規制する規制部材と、を有する光学装置であって、前記第１の偏芯部材を前記回転軸を中心に回転させることにより、前記光学素子を前記第１の支持部材に対して前記光軸に直交する方向に移動可能であり、前記第２の偏芯部材を前記回転軸を中心に回転させることにより、前記光学素子を前記光軸に直交する面に対して傾けることが可能であり、前記第２の偏芯部材と前記第２溝部との係合位置を変えることで前記保持部材を前記第１の支持部材に対して前記光軸方向に移動可能とすることを特徴とする。
また、本発明に係る別の光学装置は、光軸方向に伸びる案内溝を外周部に有する第１の円筒部材と、光軸に直交する周方向に伸びる周辺溝と、外周部で光軸に直交する周方向に傾いて伸びるリード溝とを有し、前記第１の円筒部材に対して光軸の周りに回転可能な第２の円筒部材と、光学素子を保持する保持部材と、一端が前記光軸と直交する方向の回転軸を中心に回転可能に前記保持部材に取り付けられ、他端が前記回転軸に対して偏芯し前記案内溝に係合する第１の偏芯ローラと、一端が前記光軸と直交する方向の回転軸を中心に回転可能に前記保持部材に取り付けられ、他端が前記回転軸に対して偏芯し前記周辺溝に係合する第２の偏芯ローラと、前記第１の円筒部材に設けられ、前記リード溝に係合するコロと、を有することを特徴とする。
また、本発明に係る別の光学装置は、光軸方向に伸びる案内溝を外周部に有する第１の円筒部材と、前記第１の円筒部材に対して光軸の周りに回転可能であり、第２保持部材の外周部で光軸に直交する周方向に傾いて伸びるリード溝を有する第２の円筒部材と、光学素子を保持する保持部材と、一端が前記光軸と直交する方向の回転軸を中心に回転可能に前記保持部材に取り付けられ、他端が前記回転軸に対して偏芯し前記案内溝に係合する第１の偏芯ローラと、一端が前記光軸と直交する方向の回転軸を中心に回転可能に前記保持部材に取り付けられ、他端が前記回転軸に対して偏芯し前記リード溝に係合する第２の偏芯ローラと、前記第１の円筒部材または前記第２の円筒部材の一方に設けられ、光軸に直交する周方向に伸びる規制溝と、前記第１の円筒部材または前記第２の円筒部材の他方に設けられ、前記規制溝に係合して、前記第１の円筒部材に対して光軸の周りに回転可能な前記第２の円筒部材の前記第１の円筒部材に対する光軸方向の移動を規制する規制部材と、を有することを特徴とする。
【手続補正３】
【補正対象書類名】明細書
【補正対象項目名】００２５
【補正方法】変更
【補正の内容】
【００２５】
（第４レンズ群の調整）
１）調整用溝
次に、本発明の特徴である第４レンズ群Ｌ４の保持調整に関する詳細構造を説明する。図１に示すように、４群移動枠（第１の支持部材、第１の円筒部材）１０９には、光軸方向に伸びた、長手方向が光軸と平行な２つの第１面を有する案内溝（第１溝部）１０９ａが光軸を中心として角度等分に３箇所設けられている。１０７は４群移動枠１０９の外周に嵌合している４群調整筒で、光軸直交方向に伸びた、長手方向が光軸と直交する２つの第２面を備えた周溝（第３溝部、周辺溝）１０７ａを有する。また、４群調整筒（第２の支持部材、第２の円筒部材）１０７には、光軸方向にリフト量を備えた２つの面（光軸方向に対し斜め方向の２つの面）を有するリード溝（第２溝部）１０７ｂが、それぞれ光軸を中心として角度等分に３箇所設けられている。
【手続補正４】
【補正対象書類名】明細書
【補正対象項目名】００２６
【補正方法】変更
【補正の内容】
【００２６】
リード溝１０７ｂには、４群移動筒１０９にビス止めされたコロ（係合部材）１３７（ＰＯＭ等の比較的弾性の高い樹脂材料で形成されている）が圧入状態で係合しており、４群調整筒１０７は、４群移動筒１０９に対して、回転しながら光軸方向に進退可能となっている。
【手続補正５】
【補正対象書類名】明細書
【補正対象項目名】００２７
【補正方法】変更
【補正の内容】
【００２７】
２）偏芯コロ
上述の第４レンズ群Ｌ４を保持している４群保持枠（保持部材）１０８には、ＰＯＭ等の比較的弾性の高い樹脂材料で形成されている第１偏芯コロ（第１の偏芯部材、第１の偏芯ローラ）１１１および第２偏芯コロ（第２の偏芯部材、第２の偏芯ローラ）１１２が、それぞれ光軸を中心として角度等分に３箇所にビス止めされている。第１偏芯コロ１１１および第２偏芯コロ１１２は、それぞれ光軸を中心として光軸直交方向において放射方向に延びる軸を中心とした円筒形状部Ａと、円筒形状部Ａの中心軸から偏芯した軸を中心とする円筒形状部Ｂとを有している。
【手続補正６】
【補正対象書類名】明細書
【補正対象項目名】００４７
【補正方法】変更
【補正の内容】
【００４７】
（第４群の調整）
１）調整用溝
１３４は４群移動枠で、光軸と平行な２つの面を有する案内溝（第１溝部）１３４ａが光軸を中心として角度等分に３ヶ所に設けられている。１３５は４群調整筒（第２の支持部材、第２の円筒部材）で、内周に設けられたバヨネット溝（第４溝部、規制溝）１３５ａが、４群移動筒１３４（第１の支持部材、第１の円筒部材）の外周に設けられた３ヶ所のバヨネット突起（規制部材）１３４ｂと係合する。バヨネット溝１３５ａは光軸と直交する面内に本来的に無端状の溝が形成され、必要に応じて一部領域にバヨネット突起１３４ａ通過用の切り欠き端（図３）を設ける。これにより、４群移動筒１３４の外周に、光軸方向の位置は規制され、かつ、回転可能な状態で嵌合している。
【手続補正７】
【補正対象書類名】明細書
【補正対象項目名】００４８
【補正方法】変更
【補正の内容】
【００４８】
４群調整筒１３５には、光軸方向にリフト量を有する２つの面を有するリード溝（第２溝部）１３５ｂが、光軸を中心として角度等分に３箇所に設けられている。
【手続補正８】
【補正対象書類名】明細書
【補正対象項目名】００４９
【補正方法】変更
【補正の内容】
【００４９】
２）偏芯コロ
第４レンズ群Ｌ４を保持している４群保持枠（保持部材）１０８には、ＰＯＭ等の比較的弾性の高い樹脂材料で形成されている第１偏芯コロ（第１の偏芯部材、第１の偏芯ローラ）１１１および第２偏芯コロ（第２の偏芯部材、第２の偏芯ローラ）１１２が、それぞれ光軸を中心として角度等分に３箇所にビス止めされている。第１偏芯コロ１１１および第２偏芯コロ１１２は、それぞれ光軸を中心として光軸直交方向において放射方向に延びる軸を中心とした円筒形状部Ａと、円筒形状部Ａの中心軸から偏芯した軸を中心とする円筒形状部Ｂとを有している。